(57)【要約】【課題】      低反発性ウレタンフォーム本来の機能を享受しながら、通気性・放熱性を確保して、快適な睡眠を実現する枕を提供する。【解決手段】  高通気性の軟質ウレタンフォームにより形成されるマット状の下部フォーム（２）と、高密度の低反発性ウレタンフォームにより形成されて前記下部フォーム（２）の上面（２１）及び側面（２２）を覆うように設けられる上部フォーム（３）と、が一体的に結合された結合フォームを備えてなり、前記側面（２２）の一部が外部に露出した露出部（２２ａ）を備えるとともに、前記下部フォーム（２）及び前記上部フォーム（３）を上下に貫通する通気穴（４）が形成されていることを特徴とする。【選択図】図２
0003108276.tif 000002
【実用新案登録請求の範囲】
【請求項１】
三次元骨格構造を有する高通気性の軟質ウレタンフォームにより形成されるマット状の下部フォーム（２）と、
密度４０〜９０Ｋｇ／立方メートル、反発弾性５％以下の高密度のモールド発泡低反発性ウレタンフォームにより形成されて前記下部フォーム（２）の上面（２１）及び側面（２２）を覆うように設けられる上部フォーム（３）と、が一体的に結合された結合フォーム（１）を備えてなり、
前記側面（２２）の一部が外部に露出した露出部（２２ａ）を備えるとともに、前記下部フォーム（２）及び前記上部フォーム（３）を上下に貫通する通気穴（４）が形成されていることを特徴とする枕。
【請求項２】
請求項１に記載の枕であって、
前記上部フォーム（３）は、枕の縦幅方向（Ｘ）に延びるアーチ形に形成されており、
前記露出部（２２ａ）は、前記アーチ形の側面開口部（３ｂ）に形成されていることを特徴とする枕。
【請求項３】
請求項１又は２に記載の枕であって、
前記通気穴（４）及び／又は前記露出部（２２ａ）に対応する部分に、他の部分の生地よりも通気性が高い生地で覆われている通気部（５ａ，５ｂ，５ｃ）を備える枕カバー（５）で覆われてなることを特徴とする枕。
【請求項４】
請求項３に記載の枕であって、
前記通気部（５ａ，５ｂ，５ｃ）を覆う生地は、メッシュ素材であり、前記通気部（５ａ，５ｂ，５ｃ）以外の生地は、伸縮性素材であることを特徴とする枕。
【請求項５】
請求項１から４のいずれかに記載の枕であって、
前記下部フォーム（２）は、スラブ成形された軟質ウレタンフォームであって、
前記上部フォーム（３）は、前記下部フォーム（２）がセットされた成形型に、原材料液を注入して発泡させたものであることを特徴とする枕。
【請求項６】
請求項１から４のいずれかに記載の枕であって、
前記下部フォーム（２）と前記上部フォーム（３）との間には、
前記下部フォーム（２）と前記上部フォーム（３）を一体でモールド発泡成形することにより形成される複合フォーム層が形成されていることを特徴とする枕。
【考案の詳細な説明】
【技術分野】
【０００１】
本考案は、低反発性ウレタンフォームを使用しながら通気性に優れた枕に関する。
【背景技術】
【０００２】
低反発性ウレタンフォームは、荷重を加えて圧縮させると、ゆっくり沈み、荷重を取り除くと、ゆっくり復元する性質を備えている。したがって、低反発性ウレタンフォームで形成された枕は、使用者の頭部の形に合わせて沈み込むことで圧力を均一に分散することができ、また、寝返りの際の跳ね返りが小さく頸部にかかる負担が少ないという長所を有している。その一方で、低反発性ポリウレタンフォームは通気性が低いために、使用者自らの体温による熱が蓄積されて、蒸れたりする等の不快感を与えることがある。
【０００３】
これに対して、芯材を低反発性ウレタンフォームで形成し、その芯材において、頭部が接する上面部分を通気性・放熱性を有する表皮部材で覆うようにした枕が提案されている（例えば、特許文献１参照）。この枕によれば、頭部からの体温や汗による湿気が表皮部材から逃がされることとなるので、快適な睡眠を得ることができるものである。
【特許文献１】特開平７−６７７５７号公報
【考案の開示】
【考案が解決しようとする課題】
【０００４】
しかしながら、頭部との接触部分に表皮部材を備えるため、圧力を均一に分散しながら、頭部を安定的に支持する、あるいは、寝返りの際に頸部にかかる負担を少なくするという低反発性ウレタンフォームを採用することによる本来の効果が低減されてしまうという問題がある。
【０００５】
本考案は、斯かる実情に鑑み、低反発性ウレタンフォーム本来の機能を享受しながら、通気性・放熱性を確保して、快適な睡眠を実現する枕を提供しようとするものである。
【課題を解決するための手段】
【０００６】
請求項１の考案は、三次元骨格構造を有する高通気性の軟質ウレタンフォームにより形成されるマット状の下部フォーム（２）と、密度４０〜９０Ｋｇ／立方メートル、反発弾性５％以下の高密度のモールド発泡低反発性ウレタンフォームにより形成されて前記下部フォーム（２）の上面（２１）及び側面（２２）を覆うように設けられる上部フォーム（３）と、が一体的に結合された結合フォーム（１）を備えてなり、前記側面（２２）の一部が外部に露出した露出部（２２ａ）を備えるとともに、前記下部フォーム（２）及び前記上部フォーム（３）を上下に貫通する通気穴（４）が形成されていることを特徴とする枕を提供する。
【０００７】
請求項２の考案は、請求項１に記載の枕であって、前記上部フォーム（３）は、枕の縦幅方向（Ｘ）に延びるアーチ形に形成されており、前記露出部（２２ａ）は、前記アーチ形の側面開口部（３ｂ）に形成されていることを特徴とする枕を提供する。
【０００８】
請求項３の考案は、請求項１又は２に記載の枕であって、前記通気穴（４）及び／又は前記露出部（２２ａ）に対応する部分に、他の部分の生地よりも通気性が高い生地で覆われている通気部（５ａ，５ｂ，５ｃ）を備える枕カバー（５）で覆われてなることを特徴とする枕を提供する。
【０００９】
請求項４の考案は、請求項３に記載の枕であって、前記通気部（５ａ，５ｂ，５ｃ）を覆う生地は、メッシュ素材であり、前記通気部（５ａ，５ｂ，５ｃ）以外の生地は、伸縮性素材であることを特徴とする枕を提供する。
【００１０】
請求項５の考案は、請求項１から４のいずれかに記載の枕であって、前記下部フォーム（２）は、スラブ成形された軟質ウレタンフォームであって、前記上部フォーム（３）は、前記下部フォーム（２）がセットされた成形型に原材料液を注入して発泡させたものであることを特徴とする枕を提供する。
【００１１】
請求項６の考案は、請求項１から４のいずれかに記載の枕であって、前記下部フォーム（２）と前記上部フォーム（３）との間には、前記下部フォーム（２）と前記上部フォーム（３）を一体でモールド発泡成形することにより形成される複合フォーム層が形成されていることを特徴とする枕を提供する。
【考案の効果】
【００１２】
本考案の請求項１に記載の枕によれば、高密度のモールド発泡低反発性ウレタンフォームにより形成される上部フォーム（３）で頭部を安定的に支持したり、寝返り時における頸部への負担を軽減したりすることができる。また、下部フォーム（２）の側面（２２）が外部に露出した露出部（２２ａ）と、枕を上下に貫通する通気穴（４）の両方によって、頭部付近にこもる湿気や熱を外部に効率的に放出するとともに、外気を導入することができ、その結果として、快適な睡眠が得られるものである。また、上部フォーム（３）は、低反発ウレタンフォームのモールド発泡成形品で、温度依存性が低く、気温が変化しても略同じ硬度に維持されるので、季節を問わず、最適の使用感が得られるものである。
【００１３】
本考案の請求項２に記載の枕によれば、請求項１に記載の枕が奏する効果に加えて、以下の優れた効果を奏する。上部フォーム（３）は、枕の縦幅方向（Ｘ）に延びるアーチ形に形成されているので、頸部の下方に位置する部分が、低反発性ウレタンフォームのみによって形成されることとなり、寝返り時の反発力による頸部への負担が確実に軽減される。また、寝返りの際に、アーチ形が下方に撓むことで、露出部（２２ａ）や通気穴（４）から、枕内部や枕と頭部との間に滞留した湿気や熱が強制的に排出され、逆にアーチ形が上方に復元することで、外気が枕内部に吸引導入されるため、より高い換気性能が得られるものである。
【００１４】
本考案の請求項３に記載の枕によれば、請求項１又は２に記載の枕が奏する効果に加えて、以下の優れた効果を奏する。枕カバー（５）において、通気穴（４）及び／又は露出部（２２ａ）に対応する部分に、通気性が高い生地で覆われている通気部（５ａ，５ｂ，５ｃ）を設けたので、枕カバーを取り付けることによる換気性能の低下が避けられるものである。
【００１５】
本考案の請求項４に記載の枕によれば、請求項３に記載の枕が奏する効果に加えて、以下の優れた効果を奏する。通気部（５ａ，５ｂ，５ｃ）を覆う生地をメッシュ素材としたので、優れた換気性能を確実に得ることができ、また、通気部（５ａ，５ｂ，５ｃ）以外の生地を伸縮性素材としたので、枕カバーの着脱を容易に行うことができる。
【００１６】
本考案の請求項５に記載の枕によれば、請求項１から４のいずれかに記載の枕が奏する効果に加えて、以下の優れた効果を奏する。下部フォーム（２）の上面（２１）及び側面（２２）に上部フォーム（３）の原材料液を含浸させた状態で発泡成形するので、下部フォーム（２）と上部フォーム（３）の相互の接着強度が高く、繰り返し使用による剥離等の不具合が生じにくいものである。
【００１７】
本考案の請求項６に記載の枕によれば、請求項１から４のいずれかに記載の枕が奏する効果に加えて、以下の優れた効果を奏する。前記下部フォーム（２）と前記上部フォーム（３）を一体でモールド発泡成形することにより形成される複合フォーム層が、枕による支持剛性を高めて、使用者の頭部等の沈み込みを防止することができるものである。
【考案を実施するための最良の形態】
【００１８】
以下、本考案の実施の形態を、添付図面を参照しながら説明する。
【００１９】
図１〜図４は、本考案を実施する形態の一例を示す図である。図１は、本実施形態に係る枕であって、枕カバー５が掛けられていない状態を示す斜視図である。図２は、（ａ）が図１のＡ−Ａ断面、（ｂ）がＢ−Ｂ断面を示す断面図である。図３は、枕カバー５が掛けられた状態の枕を示す斜視図であり、図４は、その使用状態を示す図である。
【００２０】
〔本実施形態に係る枕の概要〕
本実施形態に係る枕は、図１及び図２に示されるように、略矩形状に形成されており、上方に突出して枕の横幅方向Ｙに真直ぐ延びて使用者の頸部を支持する隆起部１ａと、隆起部１ａから縦幅方向Ｘに連続的に設けられて使用者の頭部を支持する平坦部１ｂと、を備えてなり、図３に示されるように、枕カバー５によって覆われた状態で使用される。
【００２１】
〔結合フォーム１〕  
この枕は、マット状に形成される下部フォーム２と、アーチ状に形成されて下部フォーム２の上面２１及び側面２２を覆うように設けられる上部フォーム３とが一体的に結合された結合フォーム１を備えてなる。下部フォーム２は、コンベア上に原材料液を流して、一定の断面形状で連続発泡させたものを切り出したスラブ成形品である。一方、上部フォーム３は、下部フォーム２がセットされた成形型（モールド）に原材料液を注入して発泡させた後に型から取り出すモールド成形品である。すなわち、結合フォーム１は、下部フォームの表面に上部フォームの原材料液を含浸させ、下部フォーム２と上部フォーム３を一体でモールド発泡成形することにより形成される複合フォーム層（図示なし）を挟んで一体的に形成されるものである。
【００２２】
〔下部フォーム２〕  
下部フォーム２は、相互に連通した気泡を備えてなる空孔率の高い三次元骨格構造の軟質ウレタンフォームにより形成されており、したがって、枕に頭部を載せた者が寝返りを打つと、圧縮と圧縮状態からの復元が繰り返されることになり、フォーム内部に含まれる空気を速やかに換気することができる高通気性を備えている。ただし、気泡の数が多すぎたり、少なすぎたりする場合には、換気性能や復元性能を低下させることになるので、例えば、セル数５〜２５個／２５ｍｍ（フォーム内における長さ２５ｍｍの任意の直線上に存在する気泡の数が５〜２５個）のものを使用することが好ましい。
【００２３】
〔上部フォーム３〕  
上部フォーム３は、密度が４０〜９０Ｋｇ／立方メートル、反発弾性が５％以下（ＪＩＳ  Ｋ６４００−３による）である高密度の低反発性ウレタンフォームにより形成されており、使用者が枕に頭部を載せて荷重をかけると、ゆっくり沈み、寝返りを打つことで頭部が移動して、荷重が取り除かれると、ゆっくり復元する。したがって、使用者の頭部の形に合わせて沈み込むことで圧力を均一に分散することができ、寝返りの際の跳ね返りが小さく頸部にかかる負担も少ないが、上述した下部フォーム２を形成する軟質ウレタンフォームに比べると、通気性が著しく劣るため、そのままでは頭部からの体温や汗で不快に感じることがある。なお、上述したとおりに、上部フォーム３は、モールド発泡成形したものであるから、温度依存性（温度が低くなると硬くなり、温度が高くなると柔らかくなる性質）が低く、気温変化に伴う硬度の変化が少ないという特徴がある。
【００２４】
〔通気穴４及び露出部２２ａ〕  
そこで、体温による熱や汗による湿気を逃がすべく、この枕には、以下のような構造が採用されている。まず、頭部や頸部が載せられる上部フォーム３の上面から下部フォーム２の下面まで上下に貫通する通気穴４が、枕の縦幅方向Ｘに４列、横幅方向Ｙに７列となるように等間隔で配置されている。また、下部フォーム２は、その側面２２の一部が、縦幅方向Ｘに延びるアーチ形の側面開口部３ｂから露出して、露出部２２ａを形成している。露出部２２ａ及び通気穴４は、これらが形成される通気性に優れた下部フォーム２を介して、頭部付近にこもる湿気や熱を外部に放出する一方、新鮮な外気を導入する換気通路あるいは換気口の役割を果たすものである。
【００２５】
〔枕カバー５〕  
本実施形態に係る枕は、結合フォーム１が剥き出しにされたままで使用されるものではなく、上述したように枕カバー５を掛けた状態で使用される。ただし、枕カバーの材質によっては、露出部２２ａ及び通気穴４の通気性が悪化して、換気性能を著しく低下させるおそれがある。そのため、本実施形態では、図３に示されるように、枕カバー５における露出部２２ａ及び通気穴４に対応する部分に、通気性が高いメッシュ素材の生地で覆われた窓状の通気部５ａ，５ｂを形成している。
【００２６】
さらに、通気部５ａ，５ｂは、ともに露出部２２ａ及び通気穴４よりも若干大きく形成することにより、換気性能が最大限に発揮されるようになっている。ただし、枕カバー５の全体をメッシュ素材の生地で形成すると、枕カバーが伸縮しにくくなり、着脱性が損なわれるため、他の部分を伸縮性素材で形成している。さらに、通気部５ｂを個々の通気穴４に対応するように小さく形成して、枕カバーの伸縮性を確保している。
【００２７】
〔本実施形態にかかる枕の作用時における作用〕
本実施形態にかかる枕は、図４に示されるように、上方に突出して枕の横幅方向Ｙに真直ぐ延びる隆起部１ａに頸部を載せ、隆起部１ａに連続的に設けられる平坦部１ｂに頭部を載せて使用する。この際、隆起部１ａの反発力が大きいと、それによって、頸部に大きな負担がかかることになるが、上部フォーム３は、枕の縦幅方向Ｘに延びるアーチ形に形成され、頸部の付け根に対応する部分が、低反発性ウレタンフォームのみによって形成されているので、寝返り時の反発力による頸部への負担は確実に軽減される。
【００２８】
また、本実施形態にかかる枕は、寝返りの際に、上部フォーム３のアーチ形が下方に撓むことで、露出部２２ａや通気穴４から、枕内部に滞留した湿気や熱が押し出され、逆にアーチ形が上方に復元することで、外気が枕内部に吸引される。したがって、露出部２２ａや通気穴４からの自然換気のみに頼るものではなく、使用者の寝返り等によって、結合フォーム１全体が、伸縮ポンプのような強制換気機構として機能し、すべて露出部２２ａや通気穴４において、強力な換気が行われるものである。
【００２９】
〔上記実施形態の変形例〕
上記実施形態では、枕カバー５の通気部５ｂを、すべての通気穴４に対応するように、しかも各通気穴４に対して個別に形成したが、所定の機能が確保されれば、必ずしもすべての通気穴４に対して設ける必要はなく、また、枕カバーの着脱性に影響がなければ、通気部５ｂに代えて、図５に示されるように、通気穴４の一部に対応する、まとまった大きさの通気部５ｃを設けるようにしても良い。また、通気穴５ａ又は５ｂのうち、いずれか一方のみを設けるようにしても良い。
【００３０】
上記実施形態では、通気穴４を４×７列となるように等間隔で２８個を配置したが、通気穴の個数は、これより少なくても、あるいは多くても良く、もちろん１個のみでも良い。また、通気穴４の大きさは、図に示されるようなものに限らず、これより小径、大径であってもよく、横断面形状も丸に限らず、四角形その他の様々な形状を採用し得る。
【００３１】
上記実施形態では、下部フォーム２の材質を、空孔率の高い三次元骨格構造の軟質ウレタンフォームとしたが、これは、例えば、低反発ウレタンフォームの高通気品でも、他の高通気フォームのいずれでも良い。
【００３２】
その他、本考案の枕は、上記した実施の形態に限定されるものではなく、本考案の要旨を逸脱しない範囲内において種々変更を加え得ることは勿論である。
【図面の簡単な説明】
【００３３】
【図１】本実施形態に係る枕であって、枕カバー５が掛けられていない状態を示す斜視図。
【図２】（ａ）が図１のＡ−Ａ断面、（ｂ）がＢ−Ｂ断面を示す断面図。
【図３】本実施形態に係る枕に枕カバー５が掛けられた状態を示す斜視図。
【図４】本実施形態に係る枕の使用状態を示す図。
【図５】本実施形態に係る枕の変形例を示す図。
【符号の説明】
【００３４】
１    結合フォーム
１ａ    隆起部
１ｂ    平坦部
２    下部フォーム
２１    上面（下部フォーム）
２２    側面（下部フォーム）
２２ａ    露出部
３    上部フォーム
３ｂ    側面開口部
４    通気穴
５    枕カバー
５ａ，５ｂ，５ｃ    通気部
【図１】
0003108276.tif 000003
【図２】
0003108276.tif 000004
【図３】
0003108276.tif 000005
【図４】
0003108276.tif 000006
【図５】
0003108276.tif 000007